(57)【要約】【課題】  大量の記録コンテンツの中から所望のコンテンツを効率よく検索することが難しく、どのようなコンテンツを蓄積していたか把握し難い。また、放送されている番組と、記録コンテンツの中からどのコンテンツを視聴するべきかを瞬時に判断し難い。【解決手段】  電子番組表と共に多様な規則に則って記録コンテンツを表示、または、記録コンテンツリストのみを表示する。また、前記規則に則って擬似的に記録コンテンツを放送し、放送波の視聴番組切り替えの操作により記録済みコンテンツの再生を行う。【選択図】図１
2011160167.tif 000002
【特許請求の範囲】
【請求項１】
放送コンテンツと記録コンテンツの映像信号を再生する記録再生装置における表示方法であって、
前記放送コンテンツと前記記録コンテンツに関する情報を取得し、
前記取得した情報にもとづいて、前記放送コンテンツを放送時刻順に配列して放送番組表を生成し、
前記記録コンテンツを該コンテンツの記録時間に応じて前記放送時刻に割り当てた記録コンテンツリストを前記放送番組表と同一の画面に表示し、
該画面上で、前記放送コンテンツまたは前記記録コンテンツが選択された場合、
前記記録コンテンツリストに、前記選択されたコンテンツの終了時刻に対応させて、前記選択されたコンテンツと対応するコンテンツを割り当てることを特徴とする表示方法。
【請求項２】
請求項１に示す記録再生装置の表示方法であって、
前記記録コンテンツの配列が、前記ユーザに選択されたコンテンツのＥＰＧ情報によって割り当てられることを特徴とする表示方法。
【請求項３】
放送コンテンツと記録コンテンツの映像信号を再生する記録再生装置における表示装置であって、
映像信号を再生する再生部と、
前記放送コンテンツと前記記録コンテンツに関する情報を取得すり抽出部と、
前記取得した情報にもとづいて、前記放送コンテンツを放送時刻順に配列して放送番組表を生成する放送番組生成部と、
前記記録コンテンツを該コンテンツの記録時間に応じて前記放送時刻に割り当て、記録コンテンツリスト画面を生成する記録コンテンツリスト画面生成部と、
前記記録コンテンツリスト画面を前記放送番組表と同一の画面に出力する出力部と、
コンテンツを指定する指定部を備え、
前記再生部は該画面上で指定部により指定された記録コンテンツを、該コンテンツの割り当てられた前記放送時刻に再生することを特徴とする記録再生装置。
【請求項４】
放送コンテンツと記録コンテンツの映像信号を再生する記録再生装置における表示方法であって、
前記放送コンテンツと前記記録コンテンツの番組を示す情報を取得し、
前記取得した情報に基づいて、前記放送コンテンツのうち現在放送しているコンテンツを並べて表示する放送番組表を生成し、
前記記録コンテンツを該コンテンツの記録時間に対応して前記放送時刻に割り当てる記録コンテンツリストを放送番組表と同一の画面に表示することを特徴とする表示方法。
【請求項５】
請求項４の表示方法であって、
前記現在放送しているコンテンツを放送系統ごとに並べて表示することを特徴とする表示方法。
【請求項６】
放送コンテンツと記録コンテンツの映像信号を再生する記録再生装置における表示方法であって、
前記放送コンテンツと前記記録コンテンツに関する情報を取得し、
前記取得した情報にもとづいて、前記放送コンテンツを放送時刻順に配列して放送番組表を生成し、
前記記録コンテンツを該コンテンツの記録時間に応じて前記放送時刻に割り当てた記録コンテンツリストを前記放送番組表と同一の画面に表示し、
該画面上で、前記放送コンテンツまたは前記記録コンテンツが選択された場合、
該記録コンテンツと対応するコンテンツを他のコンテンツと区別して表示することを特徴とする表示方法。
【請求項７】
請求項６に示す放送コンテンツと記録コンテンツの映像信号を再生する記録再生装置における表示方法であって、
前記放送コンテンツまたは前記記録コンテンツが選択された場合、
該記録コンテンツと対応する放送コンテンツが存在しない時間に対応して、記録コンテンツリストに該記録コンテンツと対応する記録コンテンツを該時間に割り当てることを特徴とする表示方法。
【請求項８】
請求項７に示す放送コンテンツと記録コンテンツの映像信号を再生する記録再生装置における表示方法であって、
前記放送コンテンツが存在しない時間への記録コンテンツへの対応は、前記関連する記録コンテンツのうち、該時間より記録時間が長いコンテンツを該時間に対応するようダイジェストを生成し、割り当てることを特徴とする表示方法。
【請求項９】
映像信号を記録媒体上に記録し、記録媒体から再生する記録再生装置であって、
記録媒体に記録されたコンテンツリストを表示するためのコンテンツリスト作成規則により決定された順にコンテンツリストを表示する手段と、
放送番組リストと同じ画面上に、記録媒体に記録されたコンテンツリストを表示する手段と、
チャンネル切り替え操作により、制御部が放送映像出力から記録されたコンテンツの再生出力へ切り替える映像切り替え手段と、
前記映像切り替え手段により、チャンネル切り替え時の時間に対応した、記録媒体に記録されたコンテンツの再生を行う手段を有すること
を特徴とする記録再生装置。
【発明の詳細な説明】
【技術分野】
【０００１】
本発明は、記録再生装置に関する。例えば、映像情報を記録再生する記録再生装置に関する。
【背景技術】
【０００２】
本技術分野の背景技術として特開２００７−３２５１６９号公報（特許文献１）がある。該公報には、「ユーザの各々が記録した番組の見出し情報を個別に表示させることにより、ユーザが目的としている番組を容易に探し出すことが可能な記録再生装置を提供する」と記載されている（要約参照）。
【０００３】
また、特開２００１−３３３３５８号公報（特許文献２）がある。該公報には、「テレビやビデオデッキなどの一般的なＡＶ機器の操作を踏襲して録画映像の選択や管理を容易化する。」と記載されている（要約参照）。
【０００４】
また、特開２００７−６０９５号公報（特許文献３）がある。該公報には、「ある時間帯における放送予定のコンテンツと内容が類似しない蓄積コンテンツで仮想チャンネルを生成するコンテンツ再生装置を提供する」と記載されている（要約参照）。
【先行技術文献】
【特許文献】
【０００５】
【特許文献１】特開２００７−３２５１６９号公報
【特許文献２】特開２００１−３３３３５８号公報
【特許文献３】特開２００７−６０９５号公報
【発明の概要】
【発明が解決しようとする課題】
【０００６】
近年、例えば、ＴＶやレコーダなどの記録再生装置における記録媒体の大容量化、またホームサーバとの連携などにより、ユーザは大量のコンテンツを蓄積できるようになっている。また、例えば、放送コンテンツが多チャンネル化しているため、リアルタイムで視聴できない放送コンテンツが増え、蓄積されるコンテンツは増加している。さらに、例えば、デジタルビデオカメラ、デジタルカメラなどの普及に伴い蓄積されるデジタルデータも増加しており、今後更に増加し続けると予想される。デジタルビデオカメラ・デジタルカメラなどで記録した外部記録情報をＴＶまたはレコーダなどの記録再生装置に保存するといった機能が普及している。よって、このような大量のコンテンツから、どのような映像コンテンツがあったのかという情報を簡単に取得し、視聴できる手段が必要となる。
【０００７】
そこで、特開２００７−３２５１６９号公報では、ユーザ別に録画リストを表示することにより、検索性を向上させるといった手段が提案されている。その他、番組のジャンルやチャンネル別に表示するといった手段も考案されている。しかし、コンテンツの増加に伴い、ジャンルやユーザといったグループによる抽出だけでは所望の情報を検索し難くなる。更に、長期間情報が蓄積されるにつれてどのようなコンテンツを保存していたかなどを忘れてしまうことがあるため、ユーザへ保存されているコンテンツの視聴を提案する機能も必要となる。
【０００８】
特開２００１−３３３３５８号公報では、ユーザが定義した分類に従って仮想チャンネルを割り当てて、分類に該当する番組を仮想チャンネル上に録画するとしている。
【０００９】
また、特開２００７−６０９５号公報では、仮想チャンネルを生成するときに、ある時間帯における放送予定コンテンツと内容が類似しない蓄積コンテンツで仮想チャンネルを生成するコンテンツ再生装置を提供するとし、実放送番組に関する番組表と仮想チャンネルの番組表とを一つに結合したような番組表について開示している。
【００１０】
ただ、放送コンテンツのチャンネルが増加している上に、仮想チャンネルを付加し、さらに仮想チャンネル中でも、例えばジャンル分けして複数の番組を生成すると、ユーザの選択するチャンネルはさらに多チャンネル化し、操作が複雑になるとともに、ユーザはかえってどのコンテンツを視聴するか判断することができない。
【００１１】
さらに新たな課題として、多くの記録機能付TVやレコーダにおいてＥＰＧ（Ｅｌｅｃｔｒｉｃ  Ｐｒｏｇｒａｍ  Ｇｕｉｄｅ）を表示することで視聴番組の確認、番組予約の設定などを行っている。また、録画した番組を視聴する際には、記録コンテンツリストを表示することで記録コンテンツの確認、視聴を行っている。ここで、ＥＰＧ参照と記録コンテンツ参照において異なる画面を利用しているが、ユーザが単に自分の嗜好にあったコンテンツを探索する場合は記録コンテンツ確認画面と、放送コンテンツ確認画面が異なると、視聴可能なコンテンツのうち、何を視聴するかを瞬時に判断することができず、ユーザが視聴可能な時間のうちでどの番組を視聴するか記録コンテンツも含めた計画を立てることが困難である。
【００１２】
本発明の目的は、映像表示装置の使い勝手を向上することである。
【課題を解決するための手段】
【００１３】
上記課題の全てまたは一部を解決または改善するために、本発明は特許請求の範囲に記載の発明を提供する。例えば、本記録再生装置では、擬似的に家庭内放送のようなチャンネルを立ち上げ、保存されている情報を放送番組リストと同一画面上で並列に表示して、番組選択と連携した記録コンテンツのチャンネルを作成する。また、例えば保存されている情報を、放送番組リスト表示画面上での放送波切り替えと同じ操作で表示する。また、例えば擬似的な家庭内チャンネルにより、チャンネル操作ボタンによる操作だけで記録コンテンツを参照する。
【発明の効果】
【００１４】
本発明によって、記録再生装置の使い勝手が向上する。
【図面の簡単な説明】
【００１５】
【図１】記録再生装置のシステム構成
【図２】放送番組リスト及び記録コンテンツリスト表示例
【図３】放送番組リスト及び記録コンテンツリスト操作時の表示例
【図４】放送番組リスト及び複数の記録コンテンツリスト表示例
【図５】記録コンテンツデータリスト
【図６】時刻順のコンテンツリスト作成フロー
【図７】記録コンテンツリストに基づく、記録コンテンツリスト作成例
【図８】記録コンテンツリスト撮影年別表示例
【図９】記録コンテンツリスト人物別表示例
【図１０】位置情報を表示した場合の記録コンテンツリスト表示例
【図１１】記録コンテンツリストジャンル別表示例
【図１２】連続したコンテンツがある場合の記録コンテンツリストジャンル別表示例
【図１３】記録コンテンツリスト録画機器別およびジャンル別表示例
【図１４】記録コンテンツリスト録画機器別表示例
【図１５】記録コンテンツリストをおすすめ度に並べた場合の表示例
【図１６】記録コンテンツリストに視聴率を表示した場合の表示例
【図１７】記録コンテンツリストに視聴回数を表示した場合の表示例
【図１８】記録コンテンツリストに視聴日時を表示した場合の表示例
【図１９】記録コンテンツリストに視聴割合を表示した場合の表示例
【図２０】記録コンテンツリスト記録時間別表示例
【図２１】記録コンテンツリストにつき複数の分類方法を並べた場合の表示例
【図２２】サムネイル付記録コンテンツリスト表示例
【図２３】リモコン装置の例
【図２４】記録コンテンツリストにおける放送コンテンツに対応したコンテンツ表示例
【図２５】関連する放送コンテンツが複数ある場合の記録コンテンツリスト生成例
【図２６】現在表示可能なコンテンツの一覧表示生成例
【図２７】おすすめ記録コンテンツリストに新たな記録コンテンツリストを加えた場合の表示例
【発明を実施するための形態】
【００１６】
以下、図面を用いて本発明の実施形態を説明する。
【実施例１】
【００１７】
本発明の実施に好適な実施形態の例を説明する。ただし、本発明は本実施例に限定されない。
【００１８】
図１はデジタル放送を受信して記録媒体に記録し、また記録したデータを再生し、再生出力を得ることができ、また外部記録媒体の情報を記録媒体にコピーまたはムーブできるような記録再生装置を示している。１００は記録再生装置、１０２はアンテナからの受信波を入力するアンテナ入力端子、１０３は他の機器からの圧縮された映像音声データを入力するためのデジタル入力端子、１０４はアナログ映像信号を入力するためのアナログ映像入力端子、１０５はアナログ音声信号を入力するためのアナログ音声入力端子、１０１はデータ信号を入力するためのネットワーク入力端子、１２１はＬＡＮ  Ｉ／Ｆ、１２２及び１２３は、アナログ信号をデジタル信号に変換するアナログ／デジタル（Ａ／Ｄ）変換回路、１３１は復調回路、１３２は復調したデジタル信号を音声、映像、その他のデータに分離する分離回路、１２４はデジタル化された映像及び音声信号を圧縮する圧縮回路、１４１は記録系信号処理回路、１４２は記録するデータを暗号化するための暗号化回路、１５１は記録媒体のドライブ機能を含めた記録再生系、１５２は記録媒体、１４４は記録媒体上に暗号化され記録されたデータを非暗号化するための非暗号化回路、１４３は再生系信号処理回路、１６１は切替え回路、１６２は分離回路、１６３は映像復号回路、１６６はデジタル／アナログ（Ｄ／Ａ）変換回路、１１１は映像出力端子、１６４は音声復号回路、１６７はＤ／Ａ変換回路、１１２は音声出力端子、１１３はＴＶセット、１０６はユーザＩ／Ｆ、１７１は制御部、１７３はシステムバス、１７２はＯＳＤ（Ｏｎ  Ｓｃｒｅｅｎ  Ｄｉｓｐｌａｙ）生成部、１６５は加算回路である。
【００１９】
デジタル放送などにより送信され、受信された信号は、復調回路１３１において所定の方式により復調された後、記録系信号処理回路１４１においてタイミング調整用のデータ付加や変調などの必要な信号処理が施されて、暗号化回路１４２にて暗号化され、記録再生系１５１により記録媒体１５２へ記録される。また、デジタル入力端子１０３より入力されたデジタル信号は記録系信号処理回路１４１においてタイミング調整用のデータ付加や変調などの必要な信号処理が施されて、暗号化回路１４２にて暗号化された後、記録再生系１５１により記録媒体１５２へ記録される。また、アナログ映像入力端子１０４より入力されたアナログ映像信号と、アナログ音声入力端子１０５より入力されたアナログ音声信号は、圧縮回路１２４によって圧縮処理がなされ、記録系信号処理回路１４１を介し、暗号化回路１４２にて暗号化された後、記録再生系１５１により記録媒体１５２へ記録される。ネットワークを介してのデータ通信を行う場合は、ネットワーク入力端子１０１から入力された信号は、ＬＡＮ  Ｉ／Ｆ  １２１を介し記録系信号処理回路１４１に入力され、信号処理を行い、暗号化回路１４２にて暗号化された後、記録再生系１５１により記録媒体１５２へ記録される。
【００２０】
再生時においては、ユーザの指示に応じて記録媒体１５２から記録再生系１５１を介して読み出された暗号化されたデジタルデータは、非暗号化回路１４４にて非暗号化され、再生系信号処理回路１４３において所定の変調方式に則った形式で復調等の再生に必要な信号処理が施され、切替え回路１６１を介して分離回路１６２に送られる。映像復号回路１６３では所定の映像復号処理が施されて、Ｄ／Ａ変換回路１６６においてデジタルデータからアナログ信号への変換が成された後、映像出力端子１１１を介してＴＶセット１１３のモニタ出力へと表示される。また音声復号回路１６４では所定の音声復号処理が成され、Ｄ／Ａ変換回路１６７においてデジタルデータからアナログ信号への変換が成された後、音声出力端子１１２を介してＴＶセット１１３の音声出力機構により出力される。
【００２１】
制御部１７１は、システムバス１７３を介して記録再生装置１００の各部を制御するものであり、またユーザＩ／Ｆ１０６を介して入力されたユーザの指示入力に基づいた動作を行うように、装置全体を制御する。なおユーザへの指示入力要求、あるいは必要なユーザへのＯＳＤ表示は、ＯＳＤ生成部１７２で用意され、加算回路１６５において、映像復号回路１６３の出力と適当なレベルで加算されて、最終的にＴＶセット１１３のモニタ画面に出力されることにより実現される。また、制御部１７１のコンテンツリスト作成部では、記録媒体１５２に記録されたデータを解析し、記録コンテンツリストの作成を行う。
【００２２】
図２に、本実施例における番組リスト画面例を示す。同図に示す例では、縦軸にコンテンツの放送時間が、横軸にチャンネル情報がそれぞれ割り当てられている。ここでは、画面の一部を放送番組リスト表示に用い、他の一部を記録コンテンツリストの表示に用いる。記録コンテンツリストでは、記録日時、番組タイトル、記録チャンネルを表示してもよい。チャンネル表示部分には「ＨＯＭＥ」と表示しており、擬似的に「ＨＯＭＥ」チャンネルが存在しているように振舞う。該画面において、放送番組リストと記録コンテンツリストの区別がつくように、それぞれを枠で囲んだり、背景の色を変えたりしてもよい。この放送番組リストはＥＰＧのようなものであってもよい。番組リスト画面において、放送番組リスト画面と、記録コンテンツリスト画面が独立してスクロールするようにしてもよい。
【００２３】
これにより、ユーザは放送番組リストと、記録コンテンツリストを同時に参照しながら、放送番組リストと同様の操作で、容易に記録コンテンツを視聴することができる。
【００２４】
図３に、図２に示した記録コンテンツリストにおいて例えば８時以降に相当するコンテンツを選択した際の画面例を示す。例えばリモコンなどのユーザ入力手段によりリモコンの特定のキーを押下することにより、ＨＯＭＥチャンネルを選択することができる。ＨＯＭＥの８時以降に相当するコンテンツを選択した場合は、視聴するかまたは視聴予約を選択するためのメニューを表示し、これらを選択することで視聴または視聴予約を行う。「視聴」を選択した場合は再生を開始する。「視聴予約」を選択した場合は、該当の時刻から再生を自動的に開始する。
【００２５】
これにより、ユーザは放送コンテンツを予約するのと同じ感覚で、記録コンテンツの視聴を予約でき、忘れずに視聴することができる。
【００２６】
図２及び図３に示した放送番組リスト表示及び記録コンテンツリスト表示画面では、該画面から記録コンテンツを再生するだけでなく、擬似的に「ＨＯＭＥ」チャンネルが存在しているように振舞い、番組リスト画面において選択した時刻に割り当てられたコンテンツを再生する。例えば、放送波のチャンネルが「０１１」「０２１」「０３１」のみと仮定すると、擬似的に実際にチャンネルとして存在していない「０４１」チャンネルに記録コンテンツリストを割り当て、擬似的に放送しているかのように振舞う。例えば、７時に０３１チャンネルを視聴し、チャンネル切り替えボタンにより、次のチャンネルを選択すると、一般的に０１１チャンネルの放送を表示するが、本実施例による記録再生装置においては制御部が切り替え回路の切り替えにより放送映像の表示から、記録コンテンツの再生表示に切り替え、０４１に割り当てられた「ＨＯＭＥ」チャンネルの記録コンテンツリストに則って、７時に擬似的に放送されていると仮定される「８／３１  ８：００  ドラマ△△」を再生する。
【００２７】
これにより、ユーザは放送コンテンツを切り替えながら視聴するのと同様に、記録コンテンツを視聴することができる。この擬似的な放送の順番は記録コンテンツリストの作成規則に則って決められる。この作成規則については、後で詳述する。
【００２８】
図４に時刻順のコンテンツリスト作成シーケンスを示す。図５で記録コンテンツリストの一例を示す。図４、図５を用いてコンテンツリスト作成手順を説明する。図５（ａ）では、記録コンテンツ全てをリスト表示したものであり、記録日時、チャンネル、タイトルを示している。図５（ｂ）では、図５（ａ）をもとに、記録コンテンツを作成する場合の一例を示している。ここでは、該当時刻と、割り当てられたコンテンツの記録日時、チャンネル、タイトルを示している。なお、該当時刻とは、記録コンテンツリストで記録コンテンツの割り当てのない時刻のうち、最も早い時刻のことを言う。また、該当時刻は、１時間刻みでもよい。
【００２９】
図４のステップ６０２で、作成するリストのうち、記録コンテンツの割り当てがない時刻の該当時刻と同じ時刻に記録したコンテンツがあるかどうかを確認する。コンテンツが存在した場合、ステップ６０３で該当時刻と近い時刻に記録開始したコンテンツの中で最も日付の新しいコンテンツを記録コンテンツリストに割り当てる。図５において、例えば１９：００の場合はタイトルＡとタイトルＢとタイトルＣが１９：００に記録されたものだが、より日付の新しいタイトルＣを設定する。ステップ６０４で、全ての時刻について前記の確認を行った場合、ステップ６０５に進み、未確認の時刻があればステップ６０９において、割り当てがない時刻を該当時刻として設定し、時刻ステップ６０２に進み設定された該当時刻について設定を行う。これにより、例えば図５の例では、２２：００以外の時刻については設定を完了する。
【００３０】
ステップ６０５で、該当時刻と例えば１時間以内など、近い時刻に記録開始した未設定のコンテンツがあるかどうかを参照する。未設定のコンテンツがあればステップ６０６へ、なければステップ６０７へ進む。図５ではタイトルＥとタイトルＧが未設定のコンテンツとして挙げられる。ステップ６０６では、該当するコンテンツの中で最も日付の新しいコンテンツを設定する。これより図５ではタイトルＧが選択され、設定される。ステップ６０７では、設定済みのコンテンツの中から該当時刻に近い時刻に記録を開始したコンテンツを設定する。ステップ６０８では、全ての時刻についてコンテンツ設定が終了したかどうかを確認し、未設定のものがあればステップ６０５へ、なければ終了する。ここで、ステップ６０３、ステップ６０６で、最も日付の新しいコンテンツを選択したが、最も日付の古いコンテンツであってもよい。
【００３１】
以降の例でも規則が時刻から日付や視聴率などに置き換わるが、本シーケンスと同様の手法で全記録コンテンツから記録コンテンツリストのためのデータリストを作成てもよい。また、図４では、１時間刻みでコンテンツを設定しているが、記録コンテンツが１時間に満たない場合は、コンテンツの設定がない時間に、画像のスライドショーを設定してもよい。
【００３２】
この作成例によれば、視聴している時刻と同時刻に記録された新しいコンテンツを視聴できるので、記録したコンテンツについて保存の要否を迅速に判断でき、記録媒体の整理をすることができる。
【００３３】
図６に、記録コンテンツリストのためのデータリストの例を示す。リストには、記録した時刻と、記録日時、チャンネル、タイトルを示しており、例えば該当時刻が早い順にコンテンツを上から配列し、本データを作成する。このデータリストの作成または更新は記録再生装置で予め設定された一定期間ごとに行ってもよく、ユーザが設定した期間ごとに行ってもよく、新しいコンテンツを記録した際でもよい。記録コンテンツリスト表示を行う際には、このデータリストの該当の時間帯の部分を参照し、記録コンテンツリストとして表示する。
【００３４】
以降で、コンテンツリストの作成及び表示規則に則った表示例について説明する。図７では、放送番組リスト及び複数の記録コンテンツリスト表示例を示す。本図では、データリストを元に、横軸に記録コンテンツのチャンネルを表示し、縦軸には記録した時刻順にコンテンツを表示する。図中の波線は、実際には放送コンテンツリストが表示されている画面を省略して図示している事を示している。図７では例えば、７時の０１１チャンネルにおいては、過去の７時に記録したコンテンツを表示している。８時には８時に記録したコンテンツが無かったため、７時に記録したコンテンツを表示している。また、同じ時刻のものが複数ある場合は、より日付の新しいものを表示するまたは日付の古いものを表示することもできる。
【００３５】
図７では、放送番組リスト画面上で、例えば地上デジタル放送からＢＳデジタル放送に放送波切り替え操作により切り替えることと同様に、放送波切り替えボタンにより本記録コンテンツリストを表示してもよい。このように、放送番組リスト画面と同じように記録済みのコンテンツを選択し視聴することができる。また、本当の放送番組リスト画面と混同しないように、放送番組リスト画面とは異なる背景色を用いることや、画面上に例えば「ＨＯＭＥ」といった表示を行うことで記録コンテンツリストの表示であることを強調する。横軸と縦軸の内容は逆であってもよい。
【００３６】
これにより、ユーザは複数の記録コンテンツリストについて一覧できるとともに、放送コンテンツリストと同様の操作で、記録コンテンツを選択することができ、容易に視聴するコンテンツを決定することができる。
【００３７】
図８で、撮影年度別の記録コンテンツリストの表示例について示す。
【００３８】
横軸に記録した年度を表示する。ここでは左から新しい年度から古い年度となるように表示しているが、逆でもよい。また、１年ずつ表示しているが、一定年度飛ばしてもよく、また複数年度まとめてもよい。縦軸には記録した日時順にコンテンツを表示する。本例では外部記録媒体より記録再生装置に取り込んだビデオや写真などのコンテンツを表示することとしている。例えば、８月１日（８／１と示す）に記録コンテンツリストを参照したとする。２００８年の場合８／１に近い記録媒体に保存されているコンテンツの中から５／５、８／１０、９／１０のコンテンツを表示している。横軸と縦軸の内容は逆であってもよい。
【００３９】
これにより、ユーザはどの年度に何を撮影したかを容易に把握して記録コンテンツを選択することができる。
【００４０】
図９で、人物別の記録コンテンツリストの表示例について示す。記録コンテンツとともに、予めコンテンツを誰が撮影したか、コンテンツに誰が映っているかなどの情報を映像解析技術により自動的に検出して人物情報を保持してもよく、ユーザが設定してもよい。縦軸には記録した日時順にコンテンツを表示してもよい。横軸にユーザ名を表示する。ここでは撮影した人物または撮影された人物名を表示している。縦軸には記録したユーザ別で日時順にコンテンツを表示する。本例では外部記録媒体より記録再生装置に取り込んだビデオや写真などのコンテンツを表示することとしている。横軸と縦軸の内容は逆であってもよい。
【００４１】
これにより、ユーザは自分に関連する記録コンテンツに絞って、記録コンテンツを視聴することができ、記録コンテンツの選択にかかる時間を節約することができる。
【００４２】
図１０で、位置情報を表示した場合の記録コンテンツリストの表示例について示す。ここではビデオデータまたは静止画データに含まれるＧＰＳ情報を参照している。緯度順・経度順のどちらを優先するか、原点をどの位置として決定するかは、予め記録再生装置で決められた場所でもよく、ユーザが設定可能としてもよい。横軸に記録した年度または撮影した人物または撮影された人物名を表示する。ここでは左から新しい年度から古い年度となるように表示しているが、逆でもよい。また、１年ずつ表示しているが、一定年度飛ばしてもよく、また複数年度まとめてもよい。縦軸には緯度または経度順にコンテンツを表示してもよい。横軸と縦軸の内容は逆であってもよい。
【００４３】
これにより、ユーザは記録コンテンツにつき、記録した位置情報を参照しながら、記録コンテンツを選択でき、また、位置の近いコンテンツについて連続して視聴するといった視聴方法も可能となる。
【００４４】
図１１で、ジャンル別の記録コンテンツリストの表示例について示す。横軸に「ドラマ」「スポーツ」などの記録コンテンツのジャンルを表示する。縦軸には放送波を記録したコンテンツの場合は、記録した時刻順にコンテンツを表示する。ビデオや写真などのコンテンツの場合は記録した日時順にコンテンツを表示する。横軸と縦軸の内容は逆であってもよい。
【００４５】
これにより、ユーザは自分の好きなジャンルについて選択して視聴したり、自分なりのジャンルのチャンネル、例えば、スポーツチャンネルなどを作成することが可能となる。
【００４６】
図１２で、連続したコンテンツがある場合の記録コンテンツリストの表示例について示す。例えば図１１の「ドラマ」チャンネルの７時台に「８／１  ８：００のドラマ○○の第１話」、８時台に「８／２  ８：００のドラマ○○の第２話」と表示している。これをまとめて、図１２の「ドラマ」チャンネルの８時台に「８／１  ８：００のドラマ○○」を表示し、更に２話分あることを表示している。このように同じ時刻のシリーズ番組などをまとめ、何話分あるかを表示してもよい。
【００４７】
これによって、連続したコンテンツによって記録コンテンツリストが占められることを防止するとともに、ユーザは記録コンテンツが連続したものか完結したものかを確認しながら、コンテンツを選択することができる。
【００４８】
図１３で、録画機器別およびジャンル別記録コンテンツリストの表示例について示す。横軸に「ドラマ」「スポーツ」などの記録コンテンツのジャンルを表示する。縦軸には記録した外部記録機器の種類を表示し、対応する時刻では、当該外部記録機器で録画した記録コンテンツを割り当てる。これは、本記録機器に接続及び参照可能な機器である。表示するコンテンツは該当時刻に記録されたものでもよく、未視聴のものであってもよい。横軸と縦軸の内容は逆であってもよい。
【００４９】
これにより、たとえば、録画機器ごとに録画するコンテンツの性質を変えている場合に、その中で分類して表示することができ、選択が容易になる。
【００５０】
図１４に、録画機器別の記録コンテンツリストの表示例について示す。横軸に接続された外部記録機器の種類を表示する。これは、本記録機器に接続及び参照可能な機器である。縦軸には、該当機器で記録されたコンテンツを記録した時刻順に表示する。横軸と縦軸の内容は逆であってもよい。
【００５１】
これにより、機器ごとにコンテンツの性質が異なる場合に、ユーザが特定の性質のコンテンツの選択を容易にすることができる。
【００５２】
図１５に、記録コンテンツリストをおすすめ度に並べた場合の表示例について示す。横軸にコンテンツを見せたい対象を示す。例えば「親戚」「テニス仲間」などを表示する。縦軸にはそのおすすめ度順に表示する。また、コンテンツはビデオや写真などでもよく、放送波を記録したものでもよい。ユーザはコンテンツ記録時または記録後に誰に見せたいか、おすすめ度などを入力する。これらの情報をもとに、コンテンツを表示する。また、ここではおすすめ度を星印の数で表している。星の数が多いほどおすすめ度が高いとする。横軸と縦軸の内容は逆であってもよい。
【００５３】
これにより、ユーザは他の使用者の意見により、優先度の高いコンテンツから視聴することができる。
【００５４】
図１６に、記録コンテンツリストに視聴率を表示した場合の表示例について示す。横軸に記録コンテンツのチャンネルを表示する。縦軸には、視聴率順にコンテンツを表示する。コンテンツ記録後に、視聴率配信サーバやＷｅｂ情報から記録したコンテンツの視聴率を取得する。その視聴率に基づきコンテンツを表示する。ここでは視聴率の高いものから表示しているが、低いものから表示してもよい。横軸と縦軸の内容は逆であってもよい。
【００５５】
これにより、ユーザは一般的によく視聴されている記録コンテンツより視聴することができ、視聴率の高いコンテンツの見逃しを防止することができる。
【００５６】
図１７に、記録コンテンツリストに視聴回数を表示した場合の表示例について示す。例えばユーザ認証機能付リモコンを利用することや、カメラでユーザの顔を認証するなどの手法により、どのユーザがどのコンテンツを視聴したかを取得し、コンテンツの視聴回数を保持しておく。横軸に視聴ユーザを表示する。縦軸にはユーザが視聴した回数順にコンテンツを表示する。またその回数を表示している。ここでは、視聴した回数の多い順に表示しているが、少ないものから表示して視聴を促すようにしてもよい。コンテンツは放送波を記録したものでも、ビデオや写真などでもよい。横軸と縦軸の内容は逆であってもよい。
【００５７】
これにより、よく視聴するコンテンツを視聴したり、全く見ていないコンテンツを思い出すことができる。
【００５８】
図１８に、記録コンテンツリストに視聴日時を表示した場合の表示例について示す。例えばユーザ認証機能付リモコンを利用することや、カメラでユーザの顔を認証するなどの手法により、どのユーザがどのコンテンツを視聴したかを取得し、視聴日時を保持しておく。横軸に視聴ユーザを表示する。縦軸にはユーザが視聴した日時順にコンテンツを表示する。またその視聴日時を表示している。ここでは、視聴した日時が古い順に表示しているが、視聴した日時が新しいものから表示してもよい。コンテンツは放送波を記録したものでも、ビデオや写真などのコンテンツでもよい。横軸と縦軸の内容は逆であってもよい。
【００５９】
これによって、ユーザが最近見ていないコンテンツにを視聴したり、最近見たコンテンツについて視聴することにより、コンテンツの削除の判断をすることができ、記録媒体の整理を迅速に行うことができる。
【００６０】
図１９に、記録コンテンツリストに視聴割合を表示した場合の表示例について示す。例えばユーザ認証機能付リモコンを利用することや、カメラでユーザの顔を認証するなどの手法により、どのユーザがどのコンテンツを何％視聴したかを取得し、視聴割合を保持しておく。横軸に視聴ユーザを表示する。縦軸にはユーザが視聴したコンテンツの視聴済み割合順にコンテンツを表示する。またその視聴割合を表示している。ここでは、視聴した割合が多い順に表示しているが、視聴した割合が低いまたは未視聴のものから表示して視聴を促すようにしてもよい。コンテンツは放送波を記録したものでも、ビデオや写真などのコンテンツでもよい。横軸と縦軸の内容は逆であってもよい。
【００６１】
これによって、ユーザは視聴途中のコンテンツから優先的に視聴したり、残り時間が少ないコンテンツを先に視聴することにより、視聴途中のコンテンツを整理することができる。
【００６２】
図２０に、記録コンテンツリスト記録時間別の表示例について示す。横軸に、コンテンツの記録時間順に表示する。縦軸に該当の記録時間のコンテンツを記録時刻順に表示する。また、さらに「おすすめ」チャンネルでは記録コンテンツリストに表示された時間帯、ここでは７時から９時台までの期間に視聴可能なプランを作成し、これを表示する。横軸と縦軸の内容は逆であってもよい。
【００６３】
これにより、ユーザは例えば、短時間の番組を視聴したいなどの場合に、手軽にチャンネルの切り替え操作のみで視聴することができため、使い勝手が向上する。
【００６４】
図２１に、記録コンテンツリストにつき複数の分類方法を並べた場合の表示例について示す。横軸に、ユーザと年度を表示している。これはユーザ、コンテンツのジャンル、年度、見せたい相手などでもよい。縦軸には記録時刻順など上記した様々な規則に則ってコンテンツを表示する。どの擬似チャンネルを利用し、どのような規則で表示させるかをユーザが設定することで、よりユーザの使い勝手を向上させることが可能となる。横軸と縦軸の内容は逆であってもよい。
【００６５】
図２２に、サムネイル付記録コンテンツリストの表示例について示す。コンテンツを表示する際、現在時刻に配置されているコンテンツではサムネイル表示する。それ以外についてはその他の情報のみを表示する、またはタイトルのみを表示する。横軸と縦軸の内容は逆であってもよい。
【００６６】
これにより、ユーザはタイトルのみで内容を思い出せないコンテンツについて、画像を見ながら選択することができ、使い勝手が向上する。
【００６７】
上記した記録コンテンツリストの表示例では、コンテンツの記録日時、タイトルなどを表示したが、映像解析によりコンテンツのあらすじを表示してもよく、サムネイルで重要な箇所を表示してもよい。
【００６８】
図２３に、ユーザが記録再生装置を操作するリモコン装置の例を示す図である。図２３ において、２３０１ は記録コンテンツリスト選択ボタン、２３０２は選局ボタン、２３０３は選択ボタンを示している。ユーザはリモコンのボタンを操作することにより、コンテンツリスト画面を操作できる。
【００６９】
図２４に、番組表においてユーザがリモコン等の操作手段により、番組を指定した場合の表示例を示す、同図に示す例では、縦軸にコンテンツの放送時間が、横軸にチャンネル情報がそれぞれ割り当てられている。ユーザが、特定のコンテンツを指定すると、記録コンテンツリストでは、指定されたコンテンツの終了時刻より後の時間に、指定された番組に関連のある記録コンテンツを表示する。このとき、記録コンテンツリストのコンテンツごとの縦軸の長さは、コンテンツの記録時間でもよく、すでにユーザが当該コンテンツを視聴している場合、当該コンテンツ記録時間のうちのうち視聴していない時間の長さを基準にしてもよい。例えば図２４においては、「サッカー□□対○○」に関連するコンテンツとして、「ラグビー」、「野球○○」、「バスケット」をＰＭ８：００以降に表示している。また、表示する記録コンテンツはユーザの指定によって、記録コンテンツの記録時間、視聴率、視聴回数などのパラメータによって決定してもよい。また、ユーザによって記録コンテンツに付加された情報を用いてもよい。
【００７０】
これにより、ユーザは興味のあるコンテンツによって効率よく視聴計画を立てることができる。
【００７１】
図２５は、放送番組表において、指定したコンテンツと関連した放送コンテンツが存在した場合の表示例を示す。同図に示す例では、縦軸にコンテンツの放送時間が、横軸にチャンネル情報がそれぞれ割り当てられている。ユーザが番組表において、特定のコンテンツを指定すると、それと関連する番組がハイライトされる。ハイライトの方法は、色を変えるなどしてもよい。また、関連する番組が存在しない時間に記録コンテンツリストにおいて、関連するコンテンツを割り当ててもよい。例えば、図２５においては、ユーザにより「サッカー□□対○○」が選択され、それに関連するコンテンツである、「サッカー××対□□」がハイライトされている。それに応じて、関連する放送コンテンツがないＰＭ８：００からと、ＰＭ１０：００からの時間に、関連するコンテンツとしてそれぞれ「ラグビー」と「バスケット」が、関連するコンテンツがない時間にあわせて割り当てられている。また、関連する番組が存在しない時間の長さに合うように、記録コンテンツの特徴部分のみまとめてコンテンツのダイジェスト版として割り当ててもよい。ダイジェスト版を割り当てる場合は、当該コンテンツを示す情報に、ダイジェストである旨の表示をしてもよい。
【００７２】
これにより、ユーザは容易に隙間時間に記録コンテンツを視聴することができ、記録コンテンツの視聴をユーザに促すことができる。
【００７３】
図２６に現在視聴可能なコンテンツを一覧表示する画面の一例を示す。同図に示す例では、画面左側に現在視聴可能な放送コンテンツの一覧画面を表示している。同画面では一例として、縦軸に放送の系統を示し、横軸にチャンネル情報が示されている。地上波・ＢＳ・ＣＳを縦に並べてもよい。画面右側には記録コンテンツリスト画面を表示している。この画面において、記録コンテンツリストには、同時刻に対応するコンテンツを並べてもよい。
【００７４】
これにより、ユーザは現在視聴可能な全てのコンテンツを一覧することができ、容易に視聴する番組を選択することができる。
【００７５】
図２７に、番組表において、記録コンテンツを指定し、現在表示中のおすすめ記録コンテンツリストに、新たな記録コンテンツリストを加えた場合の表示例を示す。同図に示す例では、縦軸にコンテンツの放送時間が、横軸にチャンネル情報がそれぞれ割り当てられている。ユーザが記録コンテンツリストのうち特定の記録コンテンツを選択した場合、例えばそれに類似するコンテンツによって新たな記録コンテンツリストを生成し、すでにあるコンテンツリストと並べてもよい。このとき、生成方法は、例えばジャンルが類似するものによって生成してもよい。
【００７６】
これによって、ユーザは自分の嗜好に合ったコンテンツをもとに、使いやすい番組表を生成することができる。
【符号の説明】
【００７７】
１４１・・・記録系信号処理
１４３・・・再生系信号処理
１５１・・・記録再生系
１５２・・・記録媒体
１１３・・・ＴＶセット
１０６・・・ユーザＩ／Ｆ
１７１・・・制御部
１７３・・・システムバス
１７２・・・ＯＳＤ生成部
【図１】
2011160167.tif 000003
【図２】
2011160167.tif 000004
【図３】
2011160167.tif 000005
【図４】
2011160167.tif 000006
【図５】
2011160167.tif 000007
【図６】
2011160167.tif 000008
【図７】
2011160167.tif 000009
【図８】
2011160167.tif 000010
【図９】
2011160167.tif 000011
【図１０】
2011160167.tif 000012
【図１１】
2011160167.tif 000013
【図１２】
2011160167.tif 000014
【図１３】
2011160167.tif 000015
【図１４】
2011160167.tif 000016
【図１５】
2011160167.tif 000017
【図１６】
2011160167.tif 000018
【図１７】
2011160167.tif 000019
【図１８】
2011160167.tif 000020
【図１９】
2011160167.tif 000021
【図２０】
2011160167.tif 000022
【図２１】
2011160167.tif 000023
【図２２】
2011160167.tif 000024
【図２３】
2011160167.tif 000025
【図２４】
2011160167.tif 000026
【図２５】
2011160167.tif 000027
【図２６】
2011160167.tif 000028
【図２７】
2011160167.tif 000029